(57)【要約】【課題】    選択局以外の放送局の信号レベルの影響を除去し、適切な利得制御を行うことができるＯＦＤＭ信号受信装置を実現すること。【解決手段】  チューナ部１００から出力される信号は、ＡＤＣ回路２６によりデジタル信号に変換され、ＦＦＴ回路２８によりＦＦＴ処理、伝送路等価回路３０により波形等価処理、復調回路３２により復調処理、誤り訂正回路３４により誤り訂正処理が順次為された後、処理結果が復号部３００に出力される。ＡＤＣ回路２６から出力されるデジタル信号に基づき、ＢＰＦ回路３６により、選択局のチャネル帯域に相当する周波数帯域のデジタル信号ＤＳ１が出力される。ＢＰＦ回路３６から出力されるデジタル信号ＤＳ１を元に、ＲＦ−ＡＧＣ制御回路３８によってＲＦ−ＡＧＣ制御信号Ｓ１が生成されて、増幅回路１２に出力される。【選択図】  図１
2005229533.tif 000002
【特許請求の範囲】
【請求項１】
直交周波数分割多重変調方式を用いたＯＦＤＭ信号を受信する受信手段と、
この受信手段により受信されたＯＦＤＭ信号を増幅するＲＦ増幅手段と、
このＲＦ増幅手段により増幅されたＯＦＤＭ信号から選択局のチャネル帯域を中心とした周波数帯域幅内のＯＦＤＭ信号を抽出するＲＦフィルタ手段と、
このＲＦフィルタ手段により抽出された信号を第１の周波数を中心周波数とする信号に変換するＲＦミキサ手段と、
このＲＦミキサ手段により変換された信号から前記選択局のチャネル帯域に相当する周波数帯域の信号を抽出するＩＦフィルタ手段と、
このＩＦフィルタ手段により抽出された信号を増幅するＩＦ増幅手段と、
このＩＦ増幅手段により増幅された信号を第２の周波数を中心周波数とする信号に変換するＩＦミキサ手段と、
このＩＦミキサ手段により変換された信号をＡ／Ｄ変換するＡ／Ｄ変換手段と、
このＡ／Ｄ変換手段により変換されたデジタル信号をＦＦＴ処理して復調することで前記選択局の信号を復調する復調手段と、
前記Ａ／Ｄ変換手段により変換されたデジタル信号から、前記選択局のチャネル帯域に相当する周波数帯域のデジタル信号を抽出するデジタルフィルタ手段と、
このデジタルフィルタ手段で抽出されたデジタル信号に基づいて前記ＲＦ増幅手段の増幅の利得を制御する制御手段と、
を備えることを特徴とするＯＦＤＭ信号受信装置。
【請求項２】
直交周波数分割多重変調方式を用いたＯＦＤＭ信号を受信する受信手段と、
この受信手段により受信されたＯＦＤＭ信号を増幅するＲＦ増幅手段と、
このＲＦ増幅手段により増幅されたＯＦＤＭ信号から選択局のチャネル帯域を中心とした第１の周波数帯域幅内のＯＦＤＭ信号を抽出するＲＦフィルタ手段と、
このＲＦフィルタ手段により抽出された信号を第１の周波数を中心周波数とする信号に変換するＲＦミキサ手段と、
このＲＦミキサ手段により変換された信号から前記選択局のチャネル帯域に相当する周波数帯域の信号を抽出するＩＦフィルタ手段と、
このＩＦフィルタ手段により抽出された信号を増幅するＩＦ増幅手段と、
このＩＦ増幅手段により増幅された信号を第２の周波数を中心周波数とする信号に変換するＩＦミキサ手段と、
このＩＦミキサ手段により変換された信号をＡ／Ｄ変換し、ＦＦＴ処理の後、復調することで前記選択局の信号を復調する復調手段と、
前記ＲＦ増幅手段により増幅されたＯＦＤＭ信号から、前記選択局のチャネル帯域を中心として、前記第１の周波数帯域幅より狭域な周波数帯域幅内のＯＦＤＭ信号を抽出する抽出手段と、
この抽出手段で抽出されたＯＦＤＭ信号の信号レベルに基づいて前記ＲＦ増幅手段の増幅の利得を制御する制御手段と、
を備えることを特徴とするＯＦＤＭ信号受信装置。
【請求項３】
直交周波数分割多重変調方式を用いたＯＦＤＭ信号を受信する受信手段と、
この受信手段により受信されたＯＦＤＭ信号を増幅するＲＦ増幅手段と、
このＲＦ増幅手段により増幅されたＯＦＤＭ信号から選択局のチャネル帯域を中心とした周波数帯域幅内のＯＦＤＭ信号を抽出するＲＦフィルタ手段と、
このＲＦフィルタ手段により抽出された信号を第１の周波数を中心周波数とする信号に変換するＲＦミキサ手段と、
このＲＦミキサ手段により変換された信号から前記選択局のチャネル帯域に相当する周波数帯域の信号を抽出するＩＦフィルタ手段と、
このＩＦフィルタ手段により抽出された信号を増幅するＩＦ増幅手段と、
このＩＦ増幅手段により増幅された信号を第２の周波数を中心周波数とする信号に変換するＩＦミキサ手段と、
このＩＦミキサ手段により変換された信号をＡ／Ｄ変換するＡ／Ｄ変換手段と、
このＡ／Ｄ変換手段により変換されたデジタル信号をＦＦＴ処理するＦＦＴ手段と、
このＦＦＴ手段によりＦＦＴ処理された信号を復調することで前記選択局の信号を復調する復調手段と、
前記ＦＦＴ手段によりＦＦＴ処理された信号に基づいて前記ＲＦ増幅手段及び前記ＩＦ増幅手段の増幅の利得を制御する制御手段と、
を備えることを特徴とするＯＦＤＭ信号受信装置。
【請求項４】
直交周波数分割多重変調方式を用いたＯＦＤＭ信号を受信する受信手段と、
この受信手段により受信されたＯＦＤＭ信号を増幅するＲＦ増幅手段と、
このＲＦ増幅手段により増幅されたＯＦＤＭ信号から選択局のチャネル帯域を中心とした周波数帯域幅内のＯＦＤＭ信号を抽出するＲＦフィルタ手段と、
このＲＦフィルタ手段により抽出された信号を第１の周波数を中心周波数とする信号に変換するＲＦミキサ手段と、
このＲＦミキサ手段により変換された信号から前記選択局のチャネル帯域に相当する周波数帯域の信号を抽出するＩＦフィルタ手段と、
このＩＦフィルタ手段により抽出された信号を増幅するＩＦ増幅手段と、
このＩＦ増幅手段により増幅された信号を第２の周波数を中心周波数とする信号に変換するＩＦミキサ手段と、
このＩＦミキサ手段により変換された信号をＡ／Ｄ変換し、ＦＦＴ処理した後、復調することで前記選択局の信号を復調する復調手段と、
前記ＲＦフィルタ手段により抽出された信号に、前記選択局以外の所定局の放送信号が含まれているか否かを判定する判定手段と、
この判定手段の判定結果に応じて前記ＲＦ増幅手段の増幅の利得を制御する制御手段と、
を備えることを特徴とするＯＦＤＭ信号受信装置。
【請求項５】
前記判定手段は、前記ＲＦフィルタ手段により抽出された信号に、前記選択局に隣接する放送局の放送信号が含まれているか否かを判定する隣接信号判定手段を有し、
前記制御手段は、
前記隣接信号判定手段により前記選択局に隣接する放送局の放送信号が含まれていると判定された場合に、前記ＲＦ増幅手段に前記受信手段により受信されたＯＦＤＭ信号の信号レベルを減衰させる制御を行う減衰制御手段と、
前記隣接信号判定手段により前記選択局に隣接する放送局の放送信号が含まれていないと判定された場合、前記ＲＦ増幅手段に前記受信手段により受信されたＯＦＤＭ信号の信号レベルを増幅させる制御を行う増幅制御手段と、
を有することを特徴とする請求項４に記載のＯＦＤＭ信号受信装置。
【請求項６】
直交周波数分割多重変調方式を用いたＯＦＤＭ信号を受信する受信手段と、
この受信手段により受信されたＯＦＤＭ信号を増幅するＲＦ増幅手段と、
このＲＦ増幅手段により増幅されたＯＦＤＭ信号から選択局のチャネル帯域を中心とした周波数帯域幅内のＯＦＤＭ信号を抽出するＲＦフィルタ手段と、
このＲＦフィルタ手段により抽出された信号を第１の周波数を中心周波数とする信号に変換するＲＦミキサ手段と、
このＲＦミキサ手段により変換された信号から前記選択局内のセグメントのうちの選択セグメントの帯域に相当する周波数帯域の信号を抽出するＩＦフィルタ手段と、
このＩＦフィルタ手段により抽出された信号を増幅するＩＦ増幅手段と、
このＩＦ増幅手段により増幅された信号を第２の周波数を中心周波数とする信号に変換するＩＦミキサ手段と、
このＩＦミキサ手段により変換された信号をＡ／Ｄ変換するＡ／Ｄ変換手段と、
このＡ／Ｄ変換手段により変換されたデジタル信号をＦＦＴ処理して復調することで前記選択セグメントの信号を復調する復調手段と、
前記Ａ／Ｄ変換手段により変換されたデジタル信号から、前記選択セグメントの帯域に相当する周波数帯域のデジタル信号を抽出するデジタルフィルタ手段と、
このデジタルフィルタ手段で抽出されたデジタル信号に基づいて前記ＲＦ増幅手段の増幅の利得を制御する制御手段と、
を備えることを特徴とするＯＦＤＭ信号受信装置。
【請求項７】
直交周波数分割多重変調方式を用いたＯＦＤＭ信号を受信する受信手段と、
この受信手段により受信されたＯＦＤＭ信号を増幅するＲＦ増幅手段と、
このＲＦ増幅手段により増幅されたＯＦＤＭ信号から選択局のチャネル帯域を中心とした周波数帯域幅内のＯＦＤＭ信号を抽出するＲＦフィルタ手段と、
このＲＦフィルタ手段により抽出された信号を第１の周波数を中心周波数とする信号に変換するＲＦミキサ手段と、
このＲＦミキサ手段により変換された信号から前記選択局内のセグメントのうちの選択セグメントの帯域に相当する周波数帯域の信号を抽出するＩＦフィルタ手段と、
このＩＦフィルタ手段により抽出された信号を増幅するＩＦ増幅手段と、
このＩＦ増幅手段により増幅された信号を第２の周波数を中心周波数とする信号に変換するＩＦミキサ手段と、
このＩＦミキサ手段により変換された信号をＡ／Ｄ変換し、ＦＦＴ処理した後、復調することで前記選択セグメントの信号を復調する復調手段と、
前記ＲＦ増幅手段により増幅されたＯＦＤＭ信号から、前記選択セグメントの帯域に相当する周波数帯域のＯＦＤＭ信号を抽出する抽出手段と、
この抽出手段で抽出されたＯＦＤＭ信号の信号レベルに基づいて前記ＲＦ増幅手段の増幅の利得を制御する制御手段と、
を備えることを特徴とするＯＦＤＭ信号受信装置。
【請求項８】
直交周波数分割多重変調方式を用いたＯＦＤＭ信号を受信する受信手段と、
この受信手段により受信されたＯＦＤＭ信号を増幅するＲＦ増幅手段と、
このＲＦ増幅手段により増幅されたＯＦＤＭ信号から選択局のチャネル帯域を中心とした周波数帯域幅内のＯＦＤＭ信号を抽出するＲＦフィルタ手段と、
このＲＦフィルタ手段により抽出された信号を第１の周波数を中心周波数とする信号に変換するＲＦミキサ手段と、
このＲＦミキサ手段により変換された信号から前記選択局内のセグメントのうちの選択セグメントの帯域に相当する周波数帯域の信号を抽出するＩＦフィルタ手段と、
このＩＦフィルタ手段により抽出された信号を増幅するＩＦ増幅手段と、
このＩＦ増幅手段により増幅された信号を第２の周波数を中心周波数とする信号に変換するＩＦミキサ手段と、
このＩＦミキサ手段により変換された信号をＡ／Ｄ変換するＡ／Ｄ変換手段と、
このＡ／Ｄ変換手段により変換されたデジタル信号をＦＦＴ処理するＦＦＴ手段と、
このＦＦＴ手段によりＦＦＴ処理された信号を復調することで前記選択セグメントの信号を復調する復調手段と、
前記ＦＦＴ手段によりＦＦＴ処理された信号に基づいて前記ＲＦ増幅手段及び前記ＩＦ増幅手段の増幅の利得を制御する制御手段と、
を備えることを特徴とするＯＦＤＭ信号受信装置。
【請求項９】
直交周波数分割多重変調方式を用いたＯＦＤＭ信号を受信する受信手段と、
この受信手段により受信されたＯＦＤＭ信号を増幅するＲＦ増幅手段と、
このＲＦ増幅手段により増幅されたＯＦＤＭ信号から選択局のチャネル帯域を中心とした周波数帯域幅内のＯＦＤＭ信号を抽出するＲＦフィルタ手段と、
このＲＦフィルタ手段により抽出された信号を第１の周波数を中心周波数とする信号に変換するＲＦミキサ手段と、
このＲＦミキサ手段により変換された信号から前記選択局内のセグメントのうちの選択セグメントの帯域に相当する周波数帯域の信号を抽出するＩＦフィルタ手段と、
このＩＦフィルタ手段により抽出された信号を増幅するＩＦ増幅手段と、
このＩＦ増幅手段により増幅された信号を第２の周波数を中心周波数とする信号に変換するＩＦミキサ手段と、
このＩＦミキサ手段により変換された信号をＡ／Ｄ変換し、ＦＦＴ処理した後、復調することで前記選択セグメントの信号を復調する復調手段と、
前記ＲＦフィルタ手段により抽出された信号に、前記選択セグメント以外のセグメントの信号が含まれているか否かを判定する判定手段と、
この判定手段の判定結果に応じて前記ＲＦ増幅手段の増幅の利得を制御する制御手段と、
を備えることを特徴とするＯＦＤＭ信号受信装置。
【請求項１０】
前記判定手段は、前記ＲＦフィルタ手段により抽出された信号に、前記選択セグメントに隣接するセグメントの信号が含まれているか否かを判定する隣接セグメント信号判定手段を有し、
前記制御手段は、
前記隣接セグメント信号判定手段により前記選択セグメントに隣接するセグメントの信号が含まれていると判定された場合、前記ＲＦ増幅手段に前記受信手段により受信されたＯＦＤＭ信号の信号レベルを減衰させる制御を行う減衰制御手段と、
前記隣接セグメント信号判定手段により前記選択セグメントに隣接するセグメントの信号が含まれていないと判定された場合、前記ＲＦ増幅手段に前記受信手段により受信されたＯＦＤＭ信号の信号レベルを増幅させる制御を行う増幅制御手段と、
を有することを特徴とする請求項９に記載のＯＦＤＭ信号受信装置。
【請求項１１】
直交周波数分割多重変調方式を用いたＯＦＤＭ信号を受信する受信ステップと、
前記受信ステップにおいて受信されたＯＦＤＭ信号を増幅するＲＦ増幅ステップと、
このＲＦ増幅ステップにおいて増幅されたＯＦＤＭ信号から選択局のチャネル帯域を中心とした周波数帯域幅内のＯＦＤＭ信号を抽出するＲＦフィルタステップと、
このＲＦフィルタステップにおいて抽出された信号を第１の周波数を中心周波数とする信号に変換するＲＦミキサ手段と、
このＲＦミキサ手段において変換された信号から前記選択局のチャネル帯域に相当する周波数帯域の信号を抽出するＩＦフィルタステップと、
このＩＦフィルタステップにおいて抽出された信号を増幅するＩＦ増幅ステップと、
このＩＦ増幅ステップにおいて増幅された信号を第２の周波数を中心周波数とする信号に変換するＩＦミキサステップと、
このＩＦミキサステップにおいて変換された信号をＡ／Ｄ変換するＡ／Ｄ変換ステップと、
このＡ／Ｄ変換ステップにおいて変換されたデジタル信号をＦＦＴ処理して復調することで前記選択局の信号を復調する復調ステップと、
前記Ａ／Ｄ変換ステップにおいて変換されたデジタル信号から、前記選択局のチャネル帯域に相当する周波数帯域のデジタル信号を抽出するデジタルフィルタステップと、
このデジタルフィルタステップにおいて抽出されたデジタル信号に基づいて前記ＲＦ増幅ステップにおける増幅の利得を制御する制御ステップと、
を含むことを特徴とする受信方法。
【請求項１２】
直交周波数分割多重変調方式を用いたＯＦＤＭ信号を受信する受信ステップと、
前記受信ステップにおいて受信されたＯＦＤＭ信号を増幅するＲＦ増幅ステップと、
このＲＦ増幅ステップにおいて増幅されたＯＦＤＭ信号から選択局のチャネル帯域を中心とした第１の周波数帯域幅内のＯＦＤＭ信号を抽出するＲＦフィルタステップと、
このＲＦフィルタステップにおいて抽出された信号を第１の周波数を中心周波数とする信号に変換するＲＦミキサステップと、
このＲＦミキサステップにおいて変換された信号から前記選択局のチャネル帯域に相当する周波数帯域の信号を抽出するＩＦフィルタステップと、
このＩＦフィルタステップにおいて抽出された信号を増幅するＩＦ増幅ステップと、
このＩＦ増幅ステップにより増幅された信号を第２の周波数を中心周波数とする信号に変換するＩＦミキサステップと、
このＩＦミキサステップにおいて変換された信号をＡ／Ｄ変換し、ＦＦＴ処理した後、復調することで前記選択局の信号を復調する復調ステップと、
前記ＲＦ増幅ステップにおいて増幅されたＯＦＤＭ信号から、前記選択局のチャネル帯域を中心として、前記第１の周波数帯域幅より狭域な周波数帯域幅内のＯＦＤＭ信号を抽出する抽出ステップと、
この抽出手段で抽出されたＯＦＤＭ信号の信号レベルに基づいて前記ＲＦ増幅ステップにおける増幅の利得を制御する制御ステップと、
を含むことを特徴とする受信方法。
【請求項１３】
直交周波数分割多重変調方式を用いたＯＦＤＭ信号を受信する受信ステップと、
前記受信ステップにおいて受信されたＯＦＤＭ信号を増幅するＲＦ増幅ステップと、
このＲＦ増幅ステップにおいて増幅されたＯＦＤＭ信号から選択局のチャネル帯域を中心とした周波数帯域幅内のＯＦＤＭ信号を抽出するＲＦフィルタステップと、
このＲＦフィルタステップにおいて抽出された信号を第１の周波数を中心周波数とする信号に変換するＲＦミキサステップと、
このＲＦミキサステップにおいて変換された信号から前記選択局のチャネル帯域に相当する周波数帯域の信号を抽出するＩＦフィルタステップと、
このＩＦフィルタステップにおいて抽出された信号を増幅するＩＦ増幅ステップと、
このＩＦ増幅ステップにより増幅された信号を第２の周波数を中心周波数とする信号に変換するＩＦミキサステップと、
このＩＦミキサステップにおいて変換された信号をＡ／Ｄ変換するＡ／Ｄ変換ステップと、
このＡ／Ｄ変換ステップにおいて変換されたデジタル信号をＦＦＴ処理するＦＦＴステップと、
このＦＦＴステップにおいてＦＦＴ処理された信号を復調することで前記選択局の信号を復調する復調ステップと、
前記ＦＦＴステップにおいてＦＦＴ処理された信号に基づいて前記ＲＦ増幅ステップ及び前記ＩＦ増幅ステップにおける増幅の利得を制御する制御ステップと、
を含むことを特徴とする受信方法。
【請求項１４】
直交周波数分割多重変調方式を用いたＯＦＤＭ信号を受信する受信ステップと、
前記受信ステップにおいて受信されたＯＦＤＭ信号を増幅するＲＦ増幅ステップと、
このＲＦ増幅ステップにおいて増幅されたＯＦＤＭ信号から選択局のチャネル帯域を中心とした周波数帯域幅内のＯＦＤＭ信号を抽出するＲＦフィルタステップと、
このＲＦフィルタステップにより抽出された信号を第１の周波数を中心周波数とする信号に変換するＲＦミキサステップと、
このＲＦミキサステップにおいて変換された信号から前記選択局のチャネル帯域に相当する周波数帯域の信号を抽出するＩＦフィルタステップと、
このＩＦフィルタステップにおいて抽出された信号を増幅するＩＦ増幅ステップと、
このＩＦ増幅ステップにおいて増幅された信号を第２の周波数を中心周波数とする信号に変換するＩＦミキサステップと、
このＩＦミキサステップにおいて変換された信号をＡ／Ｄ変換した後、ＦＦＴ処理して復調することで前記選択局の信号を復調する復調ステップと、
前記ＲＦフィルタステップにおいて抽出された信号に、前記選択局以外の所定局の放送信号が含まれているか否かを判定する判定ステップと、
この判定手段の判定結果に応じて前記ＲＦ増幅ステップにおける増幅の利得を制御する制御ステップと、
を含むことを特徴とする受信方法。
【請求項１５】
直交周波数分割多重変調方式を用いたＯＦＤＭ信号を受信する受信ステップと、
前記受信ステップにおいて受信されたＯＦＤＭ信号を増幅するＲＦ増幅ステップと、
このＲＦ増幅ステップにおいて増幅されたＯＦＤＭ信号から選択局のチャネル帯域を中心とした周波数帯域幅内のＯＦＤＭ信号を抽出するＲＦフィルタステップと、
このＲＦフィルタステップにおいて抽出された信号を第１の周波数を中心周波数とする信号に変換するＲＦミキサステップと、
このＲＦミキサステップにおいて変換された信号から前記選択局内のセグメントのうちの選択セグメントの帯域に相当する周波数帯域の信号を抽出するＩＦフィルタステップと、
このＩＦフィルタステップにおいて抽出された信号を増幅するＩＦ増幅ステップと、
このＩＦ増幅ステップにおいて増幅された信号を第２の周波数を中心周波数とする信号に変換するＩＦミキサステップと、
このＩＦミキサステップにおいて変換された信号をＡ／Ｄ変換するＡ／Ｄ変換ステップと、
このＡ／Ｄ変換ステップにより変換されたデジタル信号をＦＦＴ処理して復調することで前記選択セグメントの信号を復調する復調ステップと、
前記Ａ／Ｄ変換ステップにおいて変換されたデジタル信号から、前記選択セグメントの帯域に相当する周波数帯域のデジタル信号を抽出するデジタルフィルタステップと、
このデジタルフィルタステップにおいて抽出されたデジタル信号に基づいて前記ＲＦ増幅ステップにおける増幅の利得を制御する制御ステップと、
を含むことを特徴とする受信装置。
【請求項１６】
直交周波数分割多重変調方式を用いたＯＦＤＭ信号を受信する受信ステップと、
前記受信ステップにおいて受信されたＯＦＤＭ信号を増幅するＲＦ増幅ステップと、
このＲＦ増幅ステップにより増幅されたＯＦＤＭ信号から選択局のチャネル帯域を中心とした周波数帯域幅内のＯＦＤＭ信号を抽出するＲＦフィルタステップと、
このＲＦフィルタステップにより抽出された信号を第１の周波数を中心周波数とする信号に変換するＲＦミキサステップと、
このＲＦミキサステップにおいて変換された信号から前記選択局内のセグメントのうちの選択セグメントの帯域に相当する周波数帯域の信号を抽出するＩＦフィルタステップと、
このＩＦフィルタステップにおいて抽出された信号を増幅するＩＦ増幅ステップと、
このＩＦ増幅ステップにおいて増幅された信号を第２の周波数を中心周波数とする信号に変換するＩＦミキサステップと、
このＩＦミキサステップにおいて変換された信号をＡ／Ｄ変換し、ＦＦＴ処理した後、復調することで前記選択セグメントの信号を復調する復調手段と、
前記ＲＦ増幅ステップにおいて増幅されたＯＦＤＭ信号から、前記選択セグメントの帯域に相当する周波数帯域のＯＦＤＭ信号を抽出する抽出ステップと、
この抽出ステップにおいて抽出されたＯＦＤＭ信号の信号レベルに基づいて前記ＲＦ増幅ステップにおける増幅の利得を制御する制御ステップと、
を含むことを特徴とする受信方法。
【請求項１７】
直交周波数分割多重変調方式を用いたＯＦＤＭ信号を受信する受信ステップと、
前記受信ステップにおいて受信されたＯＦＤＭ信号を増幅するＲＦ増幅ステップと、
このＲＦ増幅ステップにおいて増幅されたＯＦＤＭ信号から選択局のチャネル帯域を中心とした周波数帯域幅内のＯＦＤＭ信号を抽出するＲＦフィルタステップと、
このＲＦフィルタステップにおいて抽出された信号を第１の周波数を中心周波数とする信号に変換するＲＦミキサステップと、
このＲＦミキサステップにおいて変換された信号から前記選択局内のセグメントのうちの選択セグメントの帯域に相当する周波数帯域の信号を抽出するＩＦフィルタステップと、
このＩＦフィルタステップにおいて抽出された信号を増幅するＩＦ増幅ステップと、
このＩＦ増幅ステップにおいて増幅された信号を第２の周波数を中心周波数とする信号に変換するＩＦミキサステップと、
このＩＦミキサステップにおいて変換された信号をＡ／Ｄ変換するＡ／Ｄ変換ステップと、
このＡ／Ｄ変換ステップにおいて変換されたデジタル信号をＦＦＴ処理するＦＦＴステップと、
このＦＦＴステップにおいてＦＦＴ処理された信号を復調することで前記選択セグメントの信号を復調する復調ステップと、
前記ＦＦＴステップにおいて変換された信号に基づいて前記ＲＦ増幅ステップ及び前記ＩＦ増幅ステップにおける増幅の利得を制御する制御ステップと、
を含むことを特徴とする受信方法。
【請求項１８】
直交周波数分割多重変調方式を用いたＯＦＤＭ信号を受信する受信ステップと、
前記受信ステップにおいて受信されたＯＦＤＭ信号を増幅するＲＦ増幅ステップと、
このＲＦ増幅ステップにおいて増幅されたＯＦＤＭ信号から選択局のチャネル帯域を中心とした周波数帯域幅内のＯＦＤＭ信号を抽出するＲＦフィルタステップと、
このＲＦフィルタステップにおいて抽出された信号を第１の周波数を中心周波数とする信号に変換するＲＦミキサステップと、
このＲＦミキサステップにおいて変換された信号から前記選択局内のセグメントのうちの選択セグメントの帯域に相当する周波数帯域の信号を抽出するＩＦフィルタステップと、
このＩＦフィルタステップにおいて抽出された信号を増幅するＩＦ増幅ステップと、
このＩＦ増幅ステップにおいて増幅された信号を第２の周波数を中心周波数とする信号に変換するＩＦミキサステップと、
このＩＦミキサステップにおいて変換された信号をＡ／Ｄ変換し、ＦＦＴ処理の後、復調することで前記選択セグメントの信号を復調する復調ステップと、
前記ＲＦフィルタステップにおいて抽出された信号に、前記選択セグメント以外のセグメントの信号が含まれているか否かを判定する判定ステップと、
この判定ステップの判定結果に応じて前記ＲＦ増幅ステップにおける増幅の利得を制御する制御ステップと、
を含むことを特徴とする受信方法。
【発明の詳細な説明】
【技術分野】
【０００１】
本発明は、ＯＦＤＭ変調方式を用いた信号を受信するＯＦＤＭ信号受信装置及び受信方法に関する。
【背景技術】
【０００２】
地上波デジタルテレビ放送には、変調方式として複数の信号（電波）を多重化して送受信することが可能なＯＦＤＭ（Orthogonal Frequency Division Multiplexing：直交周波数分割多重方式）が利用されている。
【０００３】
地上波デジタルテレビ放送のＯＦＤＭ信号は、４７０ＭＨｚから７７０ＭＨｚまでの３００ＭＨｚの周波数帯域幅が１３〜６２ｃｈの４９チャネルに分割されて、各放送局に割り当てられている。図１４は、ＯＦＤＭ信号を受信するための従来のＯＦＤＭ信号受信装置９００のブロック図である。以下、図１４を用いて従来のＯＦＤＭ信号受信装置９００の機能構成を簡単に説明する。
【０００４】
同図によれば、ＯＦＤＭ信号受信装置９００は、チューナ部７００と、復調部８００と、復号部３００とを備えて構成される。チューナ部７００は、外部アンテナＡＮＴと、ＬＮＡ（Low Noise Amplifier）回路１０と、ＲＦ−ＡＧＣ（Radio Frequency-Auto Gain Control）による増幅回路１２（ＲＦ−ＡＧＣ１２）と、ＲＦ−ＢＰＦ（Radio Frequency-Band Pass Filter）回路１４と、ＲＦミキサ１６と、ＩＦ−ＢＰＦ（Intermediate Frequency-Band Pass Filter）回路１８と、ＩＦ−ＡＧＣによる増幅回路２０（ＩＦ−ＡＧＣ２０）と、ＩＦミキサ２２と、ＬＰＦ（Low Pass Filter）回路２４と、ＲＦ−ＡＧＣ制御回路９０とを備えて構成される。
【０００５】
放送局から放送されたＯＦＤＭ信号は、外部アンテナＡＮＴにより受信され、ＬＮＡ回路１０によって所定の増幅率で増幅される。増幅されたＯＦＤＭ信号は、ＲＦ−ＡＧＣ制御信号Ｓ９０に従って増幅回路１２で増幅又は減衰される。このＲＦ−ＡＧＣ制御信号Ｓ９０は、増幅回路１２の利得を制御する信号であり、ＲＦ−ＢＰＦ回路１４の出力信号の信号レベルを元に、ＲＦ−ＡＧＣ制御回路９０により生成される。
【０００６】
増幅回路１２で増幅又は減衰されたＯＦＤＭ信号のうち、選択された放送局のチャネル帯域に相当する周波数帯域のＯＦＤＭ信号がＲＦ−ＢＰＦ回路１４により抽出され、抽出されたＯＦＤＭ信号はＲＦミキサ１６により中間周波信号に変換される。そして、当該中間周波信号からは、選択された放送局の周波数帯域の信号がＩＦ−ＢＰＦ回路１８により抽出され、ＩＦ−ＡＧＣ制御信号Ｓ９２に従って増幅回路２０により増幅又は減衰される。このＩＦ−ＡＧＣ制御信号Ｓ９２は、ＡＤＣ回路２６の出力信号に基づいてＩＦ−ＡＧＣ制御回路９２により生成される。
【０００７】
増幅回路２０により増幅又は減衰された信号は、ＩＦミキサ２２により低域周波数の信号に変換され、ＬＰＦ回路２４によりフィルタされた後、復調部８００へ出力される。
【０００８】
復調部８００は、ＡＤＣ（Analog Digital Converter）回路２６と、ＦＦＴ（Fast Fourier Transform：高速フーリエ変換）回路２８と、伝送路等価回路３０と、復調回路３２と、誤り訂正回路３４と、ＢＰＦ回路３６と、ＩＦ−ＡＧＣ制御回路９２とを備えて構成される。
【０００９】
チューナ部７００から出力される信号は、ＡＤＣ回路２６のＡ／Ｄ変換によりデジタル信号に変換され、ＦＦＴ回路２８によりＦＦＴ処理が施される。また、ＢＰＦ回路３６により、当該デジタル信号のうち、選択された放送局のチャネル帯域に相当する周波数帯域のデジタル信号が抽出され、ＩＦ−ＡＧＣ制御回路９２へ出力される。ＩＦ−ＡＧＣ制御回路９２は、ＢＰＦ回路３６から出力された信号に基づいてＩＦ−ＡＧＣ制御信号Ｓ９２を生成してチューナ部７００の増幅回路２０に出力する。
【００１０】
ＦＦＴ回路２８から出力された信号は、伝送路等価回路３０による波形等価（振幅等価及び位相等価）処理、復調回路３２による復調処理、誤り訂正回路３４による誤り訂正処理が施される。この復調部８００の一連の処理により、受信したＯＦＤＭ信号からＴＳ（Transport Stream：トランスポート・ストリーム）が抽出される。
【００１１】
抽出されたＴＳは、復号部３００に出力されて、復号部３００により復号処理が施されて、ＯＦＤＭ信号受信装置９００を内蔵する装置によってテレビ放送として表示出力及び音声出力される。
【００１２】
ここで、ＯＦＤＭ信号受信装置の利得制御の技術は種々のものが知られているが、例えば、次のものがある。すなわち、複数種類の有効シンボル期間の長さを切り替え、受信したＯＦＤＭ信号から、チューナ部が所望帯域のＯＦＤＭ信号を抽出した後、有効シンボル期間の長さに応じた適切な信号レベルにＯＦＤＭ信号の利得を制御してＡＤＣ回路に出力するＯＦＤＭ信号受信装置が知られている（特許文献１参照）。
【特許文献１】特開２００２−７７１０１号公報
【００１３】
上述したＯＦＤＭ信号受信装置９００においては、ＲＦ−ＢＰＦ回路１４の出力信号と、ＢＰＦ回路３６の出力信号とを元にして増幅回路１２と増幅回路２０との利得制御が行われている。
【００１４】
一般に、ＲＦ−ＢＰＦ回路１４は、選択された１放送局分のＯＦＤＭ信号を十分に通過させることのできるようなフィルタ特性に設計される。簡明のため、具体的に、ＯＦＤＭ信号の周波数帯域に換算して説明すると、ＲＦ−ＢＰＦ回路１４は図１５の下段の図のような通過域が約８ＭＨｚのフィルタ特性となる。これにより、１局分のＯＦＤＭ信号帯域幅である５．６ＭＨｚを抽出できる。
【発明の開示】
【発明が解決しようとする課題】
【００１５】
しかし、地上波デジタル放送において、各放送局のＯＦＤＭ信号の間隔は、０．４ＭＨｚと狭小であるために、ＲＦ−ＢＰＦ回路１４のフィルタ特性の遷移域により、隣接する低帯域及び高帯域の放送局のＯＦＤＭ信号までが抽出されてしまう。例えば、図１５においてＢ局が選択されているとすれば、隣接するＡ局及びＣ局の一部のＯＦＤＭ信号までがＲＦ−ＢＰＦ回路１４により抽出されてしまう。従って、選択されたＢ局のＯＦＤＭ信号の他に、Ａ局及びＣ局のＯＦＤＭ信号が混入したまま、後段の復調部８００に出力されることなる。
【００１６】
これにより、ＲＦ−ＡＧＣ制御回路９０による利得制御は、選択された放送局のＯＦＤＭ信号だけでなく、隣接する放送局のＯＦＤＭ信号の信号レベルが影響してしまっていた。
【００１７】
また、特許文献１のＯＦＤＭ信号受信装置においても、Ａ／Ｄ変換後のデジタル信号の信号レベルを元にチューナ部の出力信号の利得制御をしているため、ＯＦＤＭ信号受信装置９００と同様に、隣接した放送局のＯＦＤＭ信号の影響を受けてしまっていた。
【００１８】
本発明は、上述したような課題に鑑みて為されたものであり、その目的とするところは、選択局以外の放送局の信号による影響を除去し、適切な利得制御を行うことができるＯＦＤＭ信号受信装置を実現することである。
【課題を解決するための手段】
【００１９】
以上の課題を解決するために、請求項１に記載のＯＦＤＭ信号受信装置は、
直交周波数分割多重変調方式を用いたＯＦＤＭ信号を受信する受信手段（例えば、図１の外部アンテナＡＮＴ）と、
この受信手段により受信されたＯＦＤＭ信号を増幅するＲＦ増幅手段（例えば、図１の増幅回路１４）と、
このＲＦ増幅手段により増幅されたＯＦＤＭ信号から選択局のチャネル帯域を中心とした周波数帯域幅内のＯＦＤＭ信号を抽出するＲＦフィルタ手段（例えば、図１のＲＦ−ＢＰＦ回路１４）と、
このＲＦフィルタ手段により抽出された信号を第１の周波数を中心周波数とする信号に変換するＲＦミキサ手段（例えば、図１のＲＦミキサ回路１６）と、
このＲＦミキサ手段により変換された信号から前記選択局のチャネル帯域に相当する周波数帯域の信号を抽出するＩＦフィルタ手段（例えば、図１のＩＦ−ＢＰＦ回路１８）と、
このＩＦフィルタ手段により抽出された信号を増幅するＩＦ増幅手段（例えば、図１の増幅回路２０）と、
このＩＦ増幅手段により増幅された信号を第２の周波数を中心周波数とする信号に変換するＩＦミキサ手段（例えば、図１のＩＦミキサ回路２２）と、
このＩＦミキサ手段により変換された信号をＡ／Ｄ変換するＡ／Ｄ変換手段（例えば、図１のＡＤＣ回路２６）と、
このＡ／Ｄ変換手段により変換されたデジタル信号をＦＦＴ処理して復調することで前記選択局の信号を復調する復調手段（例えば、図１のＦＦＴ回路２８、復調回路３２）と、
前記Ａ／Ｄ変換手段により変換されたデジタル信号から、前記選択局のチャネル帯域に相当する周波数帯域のデジタル信号を抽出するデジタルフィルタ手段（例えば、図１のＢＰＦ回路３６）と、
このデジタルフィルタ手段で抽出されたデジタル信号（例えば、図１の信号ＤＳ１）に基づいて前記ＲＦ増幅手段の増幅の利得を制御する制御手段（例えば、図１のＲＦ−ＡＧＣ制御回路３８）と、
を備えることを特徴としている。
【００２０】
請求項１に記載の発明によれば、Ａ／Ｄ変換されたＯＦＤＭ信号のデジタル信号から、選択局のチャンネル帯域に相当する周波数帯域のデジタル信号を抽出し、抽出したデジタル信号に基づいて、ＲＦ増幅手段での受信信号の増幅の利得を制御する。これにより、選択局のＯＦＤＭ信号の信号レベルに従った適切な利得制御を行うＯＦＤＭ信号受信装置を実現することができる。
【００２１】
請求項２に記載のＯＦＤＭ信号受信装置は、
直交周波数分割多重変調方式を用いたＯＦＤＭ信号を受信する受信手段（例えば、図３の外部アンテナＡＮＴ）と、
この受信手段により受信されたＯＦＤＭ信号を増幅するＲＦ増幅手段（例えば、図３の増幅回路１２）と、
このＲＦ増幅手段により増幅されたＯＦＤＭ信号から選択局のチャネル帯域を中心とした第１の周波数帯域幅内のＯＦＤＭ信号を抽出するＲＦフィルタ手段（例えば、図３のＲＦ−ＢＰＦ回路１４）と、
このＲＦフィルタ手段により抽出された信号を第１の周波数を中心周波数とする信号に変換するＲＦミキサ手段（例えば、図３のＲＦミキサ１６）と、
このＲＦミキサ手段により変換された信号から前記選択局のチャネル帯域に相当する周波数帯域の信号を抽出するＩＦフィルタ手段（例えば、図３のＩＦ−ＢＰＦ回路１８）と、
このＩＦフィルタ手段により抽出された信号を増幅するＩＦ増幅手段（例えば、図３の増幅回路２０）と、
このＩＦ増幅手段により増幅された信号を第２の周波数を中心周波数とする信号に変換するＩＦミキサ手段（例えば、図３のＩＦミキサ２２）と、
このＩＦミキサ手段により変換された信号をＡ／Ｄ変換し、ＦＦＴ処理の後、復調することで前記選択局の信号を復調する復調手段（例えば、図３のＡＤＣ回路２６、ＦＦＴ回路２８、復調回路３２）と、
前記ＲＦ増幅手段により増幅されたＯＦＤＭ信号から、前記選択局のチャネル帯域を中心として、前記第１の周波数帯域幅より狭域な周波数帯域幅内のＯＦＤＭ信号を抽出する抽出手段（例えば、図３の第２ＲＦ−ＢＰＦ回路４１）と、
この抽出手段で抽出されたＯＦＤＭ信号（例えば、図３の信号ＡＳ３）の信号レベルに基づいて前記ＲＦ増幅手段の増幅の利得を制御する制御手段（例えば、図２のＲＦ−ＡＧＣ制御回路４３）と、
を備えることを特徴としている。
【００２２】
請求項２に記載の発明によれば、ＲＦフィルタ手段によって抽出された選択局のチャネル帯域を中心とした第１の周波数帯域幅内のＯＦＤＭ信号より狭域な選択局のチャネル帯域を中心とする周波数帯域幅内のＯＦＤＭ信号の信号レベルに基づいて、ＲＦ増幅手段での受信信号の増幅の利得を制御する。これにより、選択局のＯＦＤＭ信号の信号レベルに従った適切な利得制御を行うＯＦＤＭ信号受信装置を実現することができる。
【００２３】
請求項３に記載のＯＦＤＭ信号受信装置は、
直交周波数分割多重変調方式を用いたＯＦＤＭ信号を受信する受信手段（例えば、図４の外部アンテナＡＮＴ）と、
この受信手段により受信されたＯＦＤＭ信号を増幅するＲＦ増幅手段（例えば、図４の増幅回路１２）と、
このＲＦ増幅手段により増幅されたＯＦＤＭ信号から選択局のチャネル帯域を中心とした周波数帯域幅内のＯＦＤＭ信号を抽出するＲＦフィルタ手段（例えば、図４のＲＦ−ＢＰＦ回路１４）と、
このＲＦフィルタ手段により抽出された信号を第１の周波数を中心周波数とする信号に変換するＲＦミキサ手段（例えば、図４のＲＦミキサ１６）と、
このＲＦミキサ手段により変換された信号から前記選択局のチャネル帯域に相当する周波数帯域の信号を抽出するＩＦフィルタ手段（例えば、図４のＩＦ−ＢＰＦ回路１８）と、
このＩＦフィルタ手段により抽出された信号を増幅するＩＦ増幅手段（例えば、図４の増幅回路２０）と、
このＩＦ増幅手段により増幅された信号を第２の周波数を中心周波数とする信号に変換するＩＦミキサ手段（例えば、図４のＩＦミキサ回路２２）と、
このＩＦミキサ手段により変換された信号をＡ／Ｄ変換するＡ／Ｄ変換手段（例えば、図４のＡＤＣ回路２６）と、
このＡ／Ｄ変換手段により変換されたデジタル信号をＦＦＴ処理するＦＦＴ手段（例えば、図４のＦＦＴ回路２８）と、
このＦＦＴ手段によりＦＦＴ処理された信号を復調することで前記選択局の信号を復調する復調手段（例えば、図４の復調回路３２）と、
前記ＦＦＴ手段によりＦＦＴ処理された信号（例えば、図４の信号ＤＳ５）に基づいて前記ＲＦ増幅手段及び前記ＩＦ増幅手段の増幅の利得を制御する制御手段（例えば、図４のＲＦ−ＡＧＣ制御回路４２、ＩＦ−ＡＧＣ制御回路４４）と、
を備えることを特徴としている。
【００２４】
請求項３に記載の発明によれば、ＦＦＴ処理した信号に基づいてＯＦＤＭ信号の増幅の利得を制御する。ＦＦＴ処理した信号は、選択局のＯＦＤＭ信号からガードインターバルのデータを取り除き、有効シンボル期間のデータのみを抽出した信号である。これにより、ＦＦＴ処理した信号に基づいて利得制御を行うことで、選択局のみのデータに基づいて忠実に利得制御を行うことができる。従って、隣接した局のＯＦＤＭ信号の信号レベルの影響を除去し、適切な利得制御を行うＯＦＤＭ信号受信装置を実現することができる。
【００２５】
請求項４に記載のＯＦＤＭ信号受信装置は、
直交周波数分割多重変調方式を用いたＯＦＤＭ信号を受信する受信手段（例えば、図６の外部アンテナＡＮＴ）と、
この受信手段により受信されたＯＦＤＭ信号を増幅するＲＦ増幅手段（例えば、図６の増幅回路１２）と、
このＲＦ増幅手段により増幅されたＯＦＤＭ信号から選択局のチャネル帯域を中心とした周波数帯域幅内のＯＦＤＭ信号を抽出するＲＦフィルタ手段（例えば、図６のＲＦ−ＢＰＦ回路１４）と、
このＲＦフィルタ手段により抽出された信号を第１の周波数を中心周波数とする信号に変換するＲＦミキサ手段（例えば、図６のＲＦミキサ１６）と、
このＲＦミキサ手段により変換された信号から前記選択局のチャネル帯域に相当する周波数帯域の信号を抽出するＩＦフィルタ手段（例えば、図６のＩＦ−ＢＰＦ回路１８）と、
このＩＦフィルタ手段により抽出された信号を増幅するＩＦ増幅手段（例えば、図６の増幅回路２０）と、
このＩＦ増幅手段により増幅された信号を第２の周波数を中心周波数とする信号に変換するＩＦミキサ手段（例えば、図６のＩＦミキサ２２）と、
このＩＦミキサ手段により変換された信号をＡ／Ｄ変換し、ＦＦＴ処理した後、復調することで前記選択局の信号を復調する復調手段（例えば、図６の復調部８００）と、
前記ＲＦフィルタ手段により抽出された信号（例えば、図６の信号ＡＳ７）に、前記選択局以外の所定局の放送信号が含まれているか否かを判定する判定手段（例えば、図６の第１レベル制御回路４８、第２レベル制御回路５０）と、
この判定手段の判定結果に応じて前記ＲＦ増幅手段の増幅の利得を制御する制御手段（例えば、図６の第１レベル制御回路４８、第２レベル制御回路５０）と、
を備えることを特徴としている。
【００２６】
請求項４に記載の発明によれば、抽出されたＯＦＤＭ信号に、選択局以外の所定局の放送信号が含まれているか否かに応じて、ＲＦ増幅手段での受信信号の増幅の利得を制御する。これにより、選択局以外の局の放送信号に応じて、適切な利得制御を行うＯＦＤＭ信号受信装置を実現することができる。
【００２７】
請求項５に記載の発明は、請求項４に記載のＯＦＤＭ信号受信装置であって、
前記判定手段は、前記ＲＦフィルタ手段により抽出された信号に、前記選択局に隣接する放送局の放送信号が含まれているか否かを判定する隣接信号判定手段（例えば、図６の第１レベル制御回路４８、第２レベル制御回路５０）を有し、
前記制御手段は、
前記隣接信号判定手段により前記選択局に隣接する放送局の放送信号が含まれていると判定された場合、前記ＲＦ増幅手段に前記受信手段により受信されたＯＦＤＭ信号の信号レベルを所定の信号レベルまで減衰させ制御を行う減衰制御手段（例えば、図６の第２レベル制御回路５０）と、
前記隣接信号判定手段により前記選択局に隣接する放送局の放送信号が含まれていないと判定された場合、前記ＲＦ増幅手段に前記受信手段により受信されたＯＦＤＭ信号の信号レベルを所定の信号レベルまで増幅させる制御を行う増幅制御手段（例えば、図６の第１レベル制御回路４８）と、
を有することを特徴としている。
【００２８】
請求項５に記載の発明によれば、請求項４に記載の発明と同様の効果が得られるのは無論のこと、抽出されたＯＦＤＭ信号内に選択局に隣接する放送局の放送信号が含まれている場合は、ＯＦＤＭ信号を減衰させ、選択局に隣接する放送局の放送信号が含まれていない場合は、ＯＦＤＭ信号を増幅させる。従って、選択局に隣接する放送局の放送信号の有無に応じて、適切な利得制御を行うＯＦＤＭ信号受信装置を実現することができる。
【００２９】
請求項６に記載のＯＦＤＭ信号受信装置は、
直交周波数分割多重変調方式を用いたＯＦＤＭ信号を受信する受信手段（例えば、図１０の外部アンテナＡＮＴ）と、
この受信手段により受信されたＯＦＤＭ信号を増幅するＲＦ増幅手段（例えば、図１０の増幅回路１２）と、
このＲＦ増幅手段により増幅されたＯＦＤＭ信号から選択局のチャネル帯域を中心とした周波数帯域幅内のＯＦＤＭ信号を抽出するＲＦフィルタ手段（例えば、図１０のＲＦ−ＢＰＦ回路１４）と、
このＲＦフィルタ手段により抽出された信号を第１の周波数を中心周波数とする信号に変換するＲＦミキサ手段（例えば、図１０のＲＦミキサ１６）と、
このＲＦミキサ手段により変換された信号から前記選択局内のセグメントのうちの選択セグメントの帯域に相当する周波数帯域の信号を抽出するＩＦフィルタ手段（例えば、図１０のＩＦ−ＢＰＦ回路Ｔ１８）と、
このＩＦフィルタ手段により抽出された信号を増幅するＩＦ増幅手段（例えば、図１０の増幅回路Ｔ２０）と、
このＩＦ増幅手段により増幅された信号を第２の周波数を中心周波数とする信号に変換するＩＦミキサ手段（例えば、図１０のＩＦミキサ回路Ｔ２２）と、
このＩＦミキサ手段により変換された信号をＡ／Ｄ変換するＡ／Ｄ変換手段（例えば、図１０のＡＤＣ回路Ｔ２６）と、
このＡ／Ｄ変換手段により変換されたデジタル信号をＦＦＴ処理して復調することで前記選択セグメントの信号を復調する復調手段（例えば、図１０のＦＦＴ回路Ｔ２８、復調回路Ｔ３２）と、
前記Ａ／Ｄ変換手段により変換されたデジタル信号から、前記選択セグメントの帯域に相当する周波数帯域のデジタル信号を抽出するデジタルフィルタ手段（例えば、図１０のＢＰＦ回路Ｔ３６）と、
このデジタルフィルタ手段で抽出されたデジタル信号（例えば、図１０の信号ＴＤＳ１）に基づいて前記ＲＦ増幅手段の増幅の利得を制御する制御手段（例えば、図１０のＲＦ−ＡＧＣ制御回路Ｔ３８）と、
を備えることを特徴としている。
【００３０】
請求項６に記載の発明によれば、Ａ／Ｄ変換されたＯＦＤＭ信号のデジタル信号から、選択セグメントの帯域に相当する周波数帯域のデジタル信号を抽出し、抽出したデジタル信号に基づいて、ＲＦ増幅手段での受信信号の増幅の利得を制御する。これにより、選択セグメントの信号レベルに従った適切な利得制御を行うＯＦＤＭ信号受信装置を実現することができる。
【００３１】
請求項７に記載のＯＦＤＭ信号受信装置は、
直交周波数分割多重変調方式を用いたＯＦＤＭ信号を受信する受信手段（例えば、図１１の外部アンテナＡＮＴ）と、
この受信手段により受信されたＯＦＤＭ信号を増幅するＲＦ増幅手段（例えば、図１１の増幅回路１２）と、
このＲＦ増幅手段により増幅されたＯＦＤＭ信号から選択局のチャネル帯域を中心とした周波数帯域幅内のＯＦＤＭ信号を抽出するＲＦフィルタ手段（例えば、図１１のＲＦ−ＢＰＦ回路１４）と、
このＲＦフィルタ手段により抽出された信号を第１の周波数を中心周波数とする信号に変換するＲＦミキサ手段（例えば、図１１のＲＦミキサ回路１６）と、
このＲＦミキサ手段により変換された信号から前記選択局内のセグメントのうちの選択セグメントの帯域に相当する周波数帯域の信号を抽出するＩＦフィルタ手段（例えば、図１１のＩＦ−ＢＰＦ回路Ｔ１８）と、
このＩＦフィルタ手段により抽出された信号を増幅するＩＦ増幅手段（例えば、図１１の増幅回路Ｔ２０）と、
このＩＦ増幅手段により増幅された信号を第２の周波数を中心周波数とする信号に変換するＩＦミキサ手段（例えば、図１１のＩＦミキサ回路Ｔ２２）と、
このＩＦミキサ手段により変換された信号をＡ／Ｄ変換し、ＦＦＴ処理した後、復調することで前記選択セグメントの信号を復調する復調手段（例えば、図１１の復調部Ｔ２００ａ）と、
前記ＲＦ増幅手段により増幅されたＯＦＤＭ信号から、前記選択セグメントの帯域に相当する周波数帯域のＯＦＤＭ信号を抽出する抽出手段（例えば、図１１の第２ＲＦ−ＢＰＦ回路Ｔ４１）と、
この抽出手段で抽出されたＯＦＤＭ信号（例えば、図１１の信号ＴＡＳ３）の信号レベルに基づいて前記ＲＦ増幅手段の増幅の利得を制御する制御手段（例えば、図１１のＲＦ−ＡＧＣ制御回路Ｔ４３）と、
を備えることを特徴とする。
【００３２】
請求項７に記載の発明によれば、増幅されたＯＦＤＭ信号から選択セグメントの帯域に相当する周波数帯域のＯＦＤＭ信号を抽出し、抽出したＯＦＤＭ信号の信号レベルに基づいて、ＲＦ増幅手段での受信信号の増幅の利得を制御する。これにより、選択セグメントの信号レベルに従った適切な利得制御を行うＯＦＤＭ信号受信装置を実現することができる。
【００３３】
請求項８に記載のＯＦＤＭ信号受信装置は、
直交周波数分割多重変調方式を用いたＯＦＤＭ信号を受信する受信手段（例えば、図１２の外部アンテナＡＮＴ）と、
この受信手段により受信されたＯＦＤＭ信号を増幅するＲＦ増幅手段（例えば、図１２の増幅回路１２）と、
このＲＦ増幅手段により増幅されたＯＦＤＭ信号から選択局のチャネル帯域を中心とした周波数帯域幅内のＯＦＤＭ信号を抽出するＲＦフィルタ手段（例えば、図１２のＲＦ−ＢＰＦ回路１４）と、
このＲＦフィルタ手段により抽出された信号を第１の周波数を中心周波数とする信号に変換するＲＦミキサ手段（例えば、図１２のＲＦミキサ回路１６）と、
このＲＦミキサ手段により変換された信号から前記選択局内のセグメントのうちの選択セグメントの帯域に相当する周波数帯域の信号を抽出するＩＦフィルタ手段（例えば、図１２のＩＦ−ＢＰＦ回路Ｔ１８）と、
このＩＦフィルタ手段により抽出された信号を増幅するＩＦ増幅手段（例えば、図１２の増幅回路Ｔ２０）と、
このＩＦ増幅手段により増幅された信号を第２の周波数を中心周波数とする信号に変換するＩＦミキサ手段（例えば、図１２のＩＦミキサ回路Ｔ２２）と、
このＩＦミキサ手段により変換された信号をＡ／Ｄ変換するＡ／Ｄ変換手段（例えば、図１２のＡＤＣ回路Ｔ２６）と、
このＡ／Ｄ変換手段により変換されたデジタル信号をＦＦＴ処理するＦＦＴ手段（例えば、図１２のＦＦＴ回路Ｔ２８）と、
このＦＦＴ手段によりＦＦＴ処理された信号を復調することで前記選択セグメントの信号を復調する復調手段（例えば、図１２の復調回路Ｔ３２）と、
前記ＦＦＴ手段によりＦＦＴ処理された信号（例えば、図１２の信号ＴＤＳ５）に基づいて前記ＲＦ増幅手段及び前記ＩＦ増幅手段の増幅の利得を制御する制御手段（例えば、図１２のＲＦ−ＡＧＣ制御回路Ｔ４２、ＩＦ−ＡＧＣ制御回路Ｔ４４）と、
を備えることを特徴としている。
【００３４】
請求項８に記載の発明によれば、ＦＦＴ処理した信号に基づいてＯＦＤＭ信号の増幅の利得を制御する。ＦＦＴ処理した信号は、選択局のＯＦＤＭ信号からガードインターバルのデータを取り除き、有効シンボル期間のデータのみを抽出した信号である。これにより、選択セグメントの信号に従った利得制御を行うことができる。従って、隣接したセグメントの信号レベルの影響を除去し、適切な利得制御を行うＯＦＤＭ信号受信装置を実現することができる。
【００３５】
請求項９に記載のＯＦＤＭ信号受信装置は、
直交周波数分割多重変調方式を用いたＯＦＤＭ信号を受信する受信手段（例えば、図１３の外部アンテナＡＮＴ）と、
この受信手段により受信されたＯＦＤＭ信号を増幅するＲＦ増幅手段（例えば、図１３の増幅回路１２）と、
このＲＦ増幅手段により増幅されたＯＦＤＭ信号から選択局のチャネル帯域を中心とした所定の周波数帯域幅内のＯＦＤＭ信号を抽出するＲＦフィルタ手段（例えば、図１３のＲＦ−ＢＰＦ回路Ｔ１４）と、
このＲＦフィルタ手段により抽出された信号を第１の周波数を中心周波数とする信号に変換するＲＦミキサ手段（例えば、図１３のＲＦミキサ回路Ｔ１６）と、
このＲＦミキサ手段により変換された信号から前記選択局内のセグメントのうちの選択セグメントの帯域に相当する周波数帯域の信号を抽出するＩＦフィルタ手段（例えば、図１３のＩＦ−ＢＰＦ回路Ｔ１８）と、
このＩＦフィルタ手段により抽出された信号を増幅するＩＦ増幅手段（例えば、図１３の増幅回路Ｔ２０）と、
このＩＦ増幅手段により増幅された信号を第２の周波数を中心周波数とする信号に変換するＩＦミキサ手段（例えば、図１３のＩＦミキサ回路Ｔ２２）と、
このＩＦミキサ手段により変換された信号をＡ／Ｄ変換し、ＦＦＴ処理した後、復調することで前記選択セグメントの信号を復調する復調手段（例えば、図１３の復調部Ｔ８００）と、
前記ＲＦフィルタ手段により抽出された信号（例えば、図１３の信号ＴＡＳ７）に、前記選択セグメント以外のセグメントの信号が含まれているか否かを判定する判定手段（例えば、図１３の第１レベル制御回路Ｔ４８、第２レベル制御回路Ｔ５０）と、
この判定手段の判定結果に応じて前記ＲＦ増幅手段の増幅の利得を制御する制御手段（例えば、図１３の第１レベル制御回路Ｔ４８、第２レベル制御回路Ｔ５０）と、
を備えることを特徴としている。
【００３６】
請求項９に記載の発明によれば、選択局のＯＦＤＭ信号に、選択セグメント以外のセグメントの信号が含まれているか否かに応じて、ＲＦ増幅手段での受信信号の増幅の利得を制御する。従って、選択セグメントを受信する際に、当該セグメント以外のセグメントの信号レベルの影響を除去し、適切な利得制御を行うことができるＯＦＤＭ信号受信装置を実現することができる。
【００３７】
また、請求項１０に記載の発明は、請求項９に記載のＯＦＤＭ信号受信装置であって、
前記判定手段は、前記ＲＦフィルタ手段により抽出された信号に、前記選択セグメントに隣接するセグメントの信号が含まれているか否かを判定する隣接セグメント信号判定手段（例えば、図１３の第１レベル制御回路Ｔ４８、第２レベル制御回路Ｔ５０）を有し、
前記制御手段は、
前記隣接セグメント信号判定手段により前記選択セグメントに隣接するセグメントの信号が含まれていると判定された場合、前記ＲＦ増幅手段に前記受信手段により受信されたＯＦＤＭ信号の信号レベルを減衰させる制御を行う減衰制御手段（例えば、図１３の第２レベル制御回路Ｔ５０）と、
前記隣接セグメント信号判定手段により前記選択セグメントに隣接するセグメントの信号が含まれていないと判定された場合、前記ＲＦ増幅手段に前記受信手段により受信されたＯＦＤＭ信号の信号レベルを増幅させる制御を行う増幅制御手段（例えば、図１３の第１レベル制御回路Ｔ４８）と、
を有することを特徴としている。
【００３８】
請求項１０に記載の発明によれば、請求項９に記載の発明と同様の効果が得られるのは無論のこと、選択局のＯＦＤＭ信号に、選択セグメントに隣接するセグメントの信号が含まれている場合は、ＯＦＤＭ信号を所定レベルまで減衰させ、選択セグメントに隣接するセグメントの信号が含まれていない場合は、ＯＦＤＭ信号を所定のレベルまで増幅させる。従って、選択セグメントに隣接するセグメントの信号の有無に応じて、適切な利得制御を行うＯＦＤＭ信号受信装置を実現することができる。
【発明の効果】
【００３９】
請求項１又は１１に記載の発明によれば、Ａ／Ｄ変換されたＯＦＤＭ信号のデジタル信号から、選択局のチャンネル帯域に相当する周波数帯域のデジタル信号を抽出し、抽出したデジタル信号に基づいて、ＲＦ増幅手段又はＲＦ増幅ステップでの受信信号の増幅の利得を制御する。これにより、選択局のＯＦＤＭ信号の信号レベルに従った適切な利得制御を行うＯＦＤＭ信号受信装置を実現することができる。
【００４０】
請求項２又は１２に記載の発明によれば、ＲＦフィルタ手段又はＲＦフィルタステップによって抽出された選択局のチャネル帯域を中心とした第１の周波数帯域幅内のＯＦＤＭ信号より狭域な選択局のチャネル帯域を中心とする周波数帯域幅内のＯＦＤＭ信号の信号レベルに基づいて、ＲＦ増幅手段又はＲＦ増幅ステップでの受信信号の増幅の利得を制御する。これにより、選択局のＯＦＤＭ信号の信号レベルに従った適切な利得制御を行うＯＦＤＭ信号受信装置を実現することができる。
【００４１】
請求項３又は１３に記載の発明によれば、ＦＦＴ処理した信号に基づいてＯＦＤＭ信号の増幅の利得を制御する。ＦＦＴ処理した信号は、選択局のＯＦＤＭ信号からガードインターバルのデータを取り除き、有効シンボル期間のデータのみを抽出した信号である。これにより、ＦＦＴ処理した信号に基づいて利得制御を行うことで、選択局のみのデータに基づいて忠実に利得制御を行うことができる。従って、隣接した局のＯＦＤＭ信号の信号レベルの影響を除去し、適切な利得制御を行うＯＦＤＭ信号受信装置を実現することができる。
【００４２】
請求項４又は１４に記載の発明によれば、抽出されたＯＦＤＭ信号に、選択局以外の所定局の放送信号が含まれているか否かに応じて、ＲＦ増幅手段又はＲＦ増幅ステップでの受信信号の増幅の利得を制御する。これにより、選択局以外の局の放送信号に応じて、適切な利得制御を行うＯＦＤＭ信号受信装置を実現することができる。
【００４３】
請求項５に記載の発明によれば、抽出されたＯＦＤＭ信号内に選択局に隣接する放送局の放送信号が含まれている場合は、ＯＦＤＭ信号を減衰させ、選択局に隣接する放送局の放送信号が含まれていない場合は、ＯＦＤＭ信号を増幅させる。従って、選択局に隣接する放送局の放送信号の有無に応じて、適切な利得制御を行うＯＦＤＭ信号受信装置を実現することができる。
【００４４】
請求項６又は１５に記載の発明によれば、Ａ／Ｄ変換されたＯＦＤＭ信号のデジタル信号から、選択セグメントの帯域に相当する周波数帯域のデジタル信号を抽出し、抽出したデジタル信号に基づいて、ＲＦ増幅手段又はＲＦ増幅ステップでの受信信号の増幅の利得を制御する。これにより、選択セグメントの信号レベルに従った適切な利得制御を行うＯＦＤＭ信号受信装置を実現することができる。
【００４５】
請求項７又は１６に記載の発明によれば、増幅されたＯＦＤＭ信号から選択セグメントの帯域に相当する周波数帯域のＯＦＤＭ信号を抽出し、抽出したＯＦＤＭ信号の信号レベルに基づいて、ＲＦ増幅手段又はＲＦ増幅ステップでの受信信号の増幅の利得を制御する。これにより、選択セグメントの信号レベルに従った適切な利得制御を行うＯＦＤＭ信号受信装置を実現することができる。
【００４６】
請求項８又は１７に記載の発明によれば、ＦＦＴ処理した信号に基づいてＯＦＤＭ信号の増幅の利得を制御する。ＦＦＴ処理した信号は、選択局のＯＦＤＭ信号からガードインターバルのデータを取り除き、有効シンボル期間のデータのみを抽出した信号である。これにより、選択セグメントの信号に従った利得制御を行うことができる。従って、隣接したセグメントの信号レベルの影響を除去し、適切な利得制御を行うＯＦＤＭ信号受信装置を実現することができる。
【００４７】
請求項９又は１８に記載の発明によれば、選択局のＯＦＤＭ信号に、選択セグメント以外のセグメントの信号が含まれているか否かに応じて、ＲＦ増幅手段又はＲＦ増幅ステップでの受信信号の増幅の利得を制御する。従って、選択セグメントを受信する際に、当該セグメント以外のセグメントの信号レベルの影響を除去し、適切な利得制御を行うことができるＯＦＤＭ信号受信装置を実現することができる。
【００４８】
請求項１０に記載の発明によれば、選択局のＯＦＤＭ信号に、選択セグメントに隣接するセグメントの信号が含まれている場合は、ＯＦＤＭ信号を所定レベルまで減衰させ、選択セグメントに隣接するセグメントの信号が含まれていない場合は、ＯＦＤＭ信号を所定のレベルまで増幅させる。従って、選択セグメントに隣接するセグメントの信号の有無に応じて、適切な利得制御を行うＯＦＤＭ信号受信装置を実現することができる。
【発明を実施するための最良の形態】
【００４９】
以下、本発明の実施形態について図１〜図１３用いて説明する。尚、実施形態において図１４に示して説明した受信装置９００と同一の構成要素には同一の符号を付してその説明を省略する。
【００５０】
〔第１実施形態〕
先ず、本発明を適用した地上波デジタルテレビ放送の受信装置の第１実施形態について説明する。図１は、第１実施形態の受信装置１の機能構成を示すブロック図である。同図によれば、受信装置１は、チューナ部１００と、復調部２００と、復号部３００とを備えて構成される。
【００５１】
チューナ部１００は、外部アンテナＡＮＴと、ＬＮＡ回路１０と、ＲＦ−ＡＧＣ制御信号Ｓ１に従って利得が制御される増幅回路１２（ＲＦ−ＡＧＣ１２）と、ＲＦ−ＢＰＦ回路１４と、ＲＦミキサ１６と、ＩＦ−ＢＰＦ回路１８と、ＩＦ−ＡＧＣ制御信号Ｓ３に従って利得が制御される増幅回路２０（ＩＦ−ＡＧＣ２０）と、ＩＦミキサ２２と、ＬＰＦ回路２４とを備えて構成される。
【００５２】
放送局から放送されたＯＦＤＭ信号は、外部アンテナＡＮＴにより受信され、ＬＮＡ回路１０によって所定の増幅率で増幅される。増幅されたＯＦＤＭ信号は、ＲＦ−ＡＧＣ制御信号Ｓ１に従って増幅回路１２で増幅又は減衰される。このＲＦ−ＡＧＣ制御信号Ｓ１は、ＢＰＦ回路３６の出力信号の信号レベルを元に、ＲＦ−ＡＧＣ制御回路３８により生成される。
【００５３】
増幅回路１２で増幅又は減衰されたＯＦＤＭ信号から、選択された放送局（以下、「選択局」という。）のチャネル帯域を中心とする周波数帯域幅のＯＦＤＭ信号がＲＦ−ＢＰＦ回路１４により抽出される。ＲＦ−ＢＰＦ回路１４により抽出されたＯＦＤＭ信号は、第１局部発振回路（図示略）から出力される局部発振信号と混合されることで、第１の周波数（例えば、５７ＭＨｚ）を中間周波数とする信号にＲＦミキサ１６により変換される。
【００５４】
そして、ＲＦミキサ１６から出力された信号から、選択局のチャネル帯域に相当する信号がＩＦ−ＢＰＦ回路１８により抽出される。次いで、抽出された信号の利得が、ＩＦ−ＡＧＣ制御信号Ｓ３に従って増幅回路２０で増幅又は減衰される。このＩＦ−ＡＧＣ制御信号Ｓ３は、ＢＰＦ回路３６の出力信号ＤＳ１の信号レベル、又は、信号に含まれるノイズ成分に基づいてＩＦ−ＡＧＣ制御回路４０により生成される。
【００５５】
増幅回路２０により増幅又は減衰された信号は、第２局部発振回路（図示略）から出力される局部発振信号と混合されることで、第1の周波数より低域周波数の信号である第２の周波数の信号にＩＦミキサ２２により変換される。そして、ＬＰＦ回路２４によりフィルタされた後、復調部２００へ出力される。
【００５６】
復調部２００は、ＡＤＣ回路２６と、ＦＦＴ回路２８と、伝送路等価回路３０と、復調回路３２と、誤り訂正回路３４と、デジタルフィルタであるＢＰＦ回路３６と、ＲＦーＡＧＣ制御回路３８と、ＩＦ−ＡＧＣ制御回路４０とを備えて構成される。
【００５７】
チューナ部１００から出力された信号は、ＡＤＣ回路２６によりデジタル信号に変換される。そして、ＦＦＴ回路２８によりＦＦＴ処理が為され、伝送路等価回路３０により波形等価（振幅等価及び位相等価）処理、復調回路３２により復調処理、誤り訂正回路３４により誤り訂正処理が為される。この一連の処理により、選択局のＯＦＤＭ信号が復調された後、復号部３００に出力される。
【００５８】
また、ＡＤＣ回路２６によりデジタル信号に変換された信号はＢＰＦ回路３６に入力され、このＢＰＦ回路３６により、選択局のチャネル帯域に相当する周波数帯域のデジタル信号ＤＳ１が抽出される。図２（ａ）は、ＢＰＦ回路３６のフィルタ特性を示す図であり、同図（ｂ）は、ＲＦ−ＢＰＦ回路１４のフィルタ特性を示す図である。同図によれば、ＢＰＦ回路３６は、放送局のチャネル帯域幅と放送局間の帯域幅（ガードバンドとも言われる放送局のチャネル帯域幅間の帯域）とを合わせた６ＭＨｚに相当する周波数帯域幅で設計され、ＲＦ−ＢＰＦ回路１２よりも狭帯域な周波数帯域幅となる。従って、ＢＰＦ回路３６により、選択されている放送局（選択局）のデジタル信号のみを抽出することができる。
【００５９】
そして、ＢＰＦ回路３６から出力されたデジタル信号ＤＳ１を元に、ＲＦ−ＡＧＣ制御回路３８がＲＦ−ＡＧＣ制御信号Ｓ１を生成し、増幅回路１２に出力する。例えば、デジタル信号ＤＳ１の信号レベルが所定の信号レベルよりも低い場合、又はデジタル信号ＤＳ１の信号に含まれるノイズ成分が規定量より多い場合は、ＬＮＡ回路１０から出力されるＯＦＤＭ信号を適切な信号レベルに増幅させるためのＲＦ−ＡＧＣ制御信号Ｓ１を生成する。また、信号レベルが所定の信号レベルよりも高い場合は、ＬＮＡ回路１０から出力されるＯＦＤＭ信号を適切な信号レベルに減衰させるためのＲＦ−ＡＧＣ制御信号Ｓ１を生成する。
【００６０】
また、ＢＰＦ回路３６から出力されたデジタル信号ＤＳ１を元に、ＩＦ−ＡＧＣ制御回路４０がＩＦ−ＡＧＣ制御信号Ｓ３を生成し、増幅回路２０に出力する。例えば、デジタル信号ＤＳ１の信号レベルが所定の信号レベルよりも低い場合、又はデジタル信号ＤＳ１の信号に含まれるノイズ成分が規定量より多い場合は、ＩＦ−ＢＰＦ回路１８から出力される信号を適切な信号レベルに増幅させるためのＲＦ−ＡＧＣ制御信号Ｓ３を生成する。また、信号レベルが所定の信号レベルよりも高い場合は、ＩＦ−ＢＰＦ回路１８から出力される信号を適切な信号レベルに減衰させるためのＲＦ−ＡＧＣ制御信号Ｓ３を生成する。
【００６１】
以上、第１実施形態によれば、ＢＰＦ回路３６は、ＡＤＣ回路２６から出力される信号の中から、選択局のチャネル帯域に相当する周波数帯域の信号ＤＳ１を抽出する。そして、このデジタル信号ＤＳ１の信号に基づいてＲＦ−ＡＧＣ制御信号Ｓ１とＩＦ−ＡＧＣ制御信号Ｓ３とが生成される。ここで、ＢＰＦ回路３６のフィルタ特性により、デジタル信号ＤＳ１は、選択された放送局のデジタル信号のみを含んでいる。これにより、ＲＦ−ＡＧＣ制御信号Ｓ１及びＩＦ−ＡＧＣ制御信号Ｓ３は、選択された放送局のＯＦＤＭ信号のみに基づいて生成されることなる。従って、他の放送局の信号の影響を除去し、選択された放送局の信号にのみによる適切な利得制御が実現される。
【００６２】
〔第２実施形態〕
次に、本発明を適用した地上波デジタルテレビ放送の受信装置の第２実施形態について説明する。尚、第１実施形態において図１に示して説明した受信装置１と同一の構成要素には同一の符号を付してその説明を省略する。
【００６３】
図３は、第２実施形態の受信装置１ａの機能構成を示すブロック図である。同図によれば、受信装置１ａは、チューナ部１００ａと、復調部８００と、復号部３００とを備えて構成される。
【００６４】
チューナ部１００ａは、外部アンテナＡＮＴと、ＬＮＡ回路１０と、ＲＦ−ＡＧＣ制御信号Ｓ５に従って利得が制御される増幅回路１２（ＲＦ−ＡＧＣ１２）と、ＲＦ−ＢＰＦ回路１４と、ＲＦミキサ１６と、ＩＦ−ＢＰＦ回路１８と、ＩＦ−ＡＧＣ制御信号Ｓ３に従って利得が制御される増幅回路２０（ＩＦ−ＡＧＣ２０）と、ＩＦミキサ２２と、ＬＰＦ回路２４と、第２ＲＦ−ＢＰＦ回路４１と、ＲＦ−ＡＧＣ制御回路４３とを備えて構成される。
【００６５】
第２ＲＦ−ＢＰＦ回路４１は、増幅回路１２により増幅又は減衰されたＯＦＤＭ信号から、選択局のチャネル帯域に相当する周波数帯域のＯＦＤＭ信号ＡＳ３を抽出し、ＲＦ−ＡＧＣ制御回路４３へ出力する。ＲＦ−ＡＧＣ制御回路４３は、ＯＦＤＭ信号ＡＳ３の信号レベルを元に、ＲＦ−ＡＧＣ制御信号Ｓ５を生成する。
【００６６】
第２ＲＦ−ＢＰＦ回路４１のフィルタ特性は、第１実施形態のＢＰＦ回路３６と同様に、図２（ａ）のような放送局のチャネル帯域幅である６ＭＨｚに相当する周波数帯域幅で設計され、ＲＦ−ＢＰＦ回路１４の周波数帯域幅（第１の周波数帯域幅）よりも狭帯域となる。従って、第２ＲＦ−ＢＰＦ回路４１により、選択局のＯＦＤＭ信号のみ抽出されることとなる。
【００６７】
そして、第２ＲＦ−ＢＰＦ回路４１から出力されたＯＦＤＭ信号ＡＳ３を元に、ＲＦ−ＡＧＣ制御回路４３がＲＦ−ＡＧＣ制御信号Ｓ５を生成する。例えば、ＯＦＤＭ信号ＡＳ３の信号レベルが所定の信号レベルよりも低い場合は、ＬＮＡ回路１０から出力されるＯＦＤＭ信号を適切な信号レベルに増幅させるためのＲＦ−ＡＧＣ制御信号Ｓ５を生成する。また、信号レベルが所定の信号レベルよりも高い場合は、ＬＮＡ回路１０から出力されるＯＦＤＭ信号を適切な信号レベルに減衰させるためのＲＦ−ＡＧＣ制御信号Ｓ５を生成する。
【００６８】
以上、第２実施形態によれば、第２ＲＦ−ＢＰＦ回路４１は、増幅回路１２から出力される信号から、選択局のチャネル帯域を中心とし、選択局のチャネル帯域幅に相当する周波数帯域のＯＦＤＭ信号ＡＳ３を抽出する。そして、このＯＦＤＭ信号ＡＳ３の信号レベルに基づいてＲＦ−ＡＧＣ制御信号Ｓ５が生成される。ここで、第２ＲＦ−ＢＰＦ回路４１のフィルタ特性は、選択された放送局（選択局）のＯＦＤＭ信号のみを通過させるように設計されているため、ＲＦ−ＡＧＣ制御信号Ｓ５は、選択された放送局のＯＦＤＭ信号のみに基づいて生成されることとなる。従って、他の放送局の信号の影響を受けずに、選択された放送局の信号のみによる適切な利得制御が実現される。
【００６９】
また、増幅回路１２の利得制御は、アナログ信号の処理系統であるチューナ部１００ａの内部で完結して行われる。従って、第１実施形態のような、増幅回路１２の後段の回路でＲＦ−ＡＧＣ制御信号を生成する場合に比べて、高速に利得制御を行うことができる。
【００７０】
〔第３実施形態〕
次に、本発明を適用した地上波デジタルテレビ放送の受信装置の第３実施形態について説明する。尚、第１実施形態において図１に示して説明した受信装置１と同一の構成要素には同一の符号を付してその説明を省略する。
【００７１】
図４は、第３実施形態の受信装置１ｂの機能構成を示すブロック図である。同図によれば、受信装置１ｂは、チューナ部１００と、復調部２００ｂと、復号部３００とを備えて構成される。
【００７２】
チューナ部１００は、外部アンテナＡＮＴと、ＬＮＡ回路１０と、ＲＦ−ＡＧＣ制御信号Ｓ９に従って利得が制御される増幅回路１２（ＲＦ−ＡＧＣ１２）と、ＲＦ−ＢＰＦ回路１４と、ＲＦミキサ１６と、ＩＦ−ＢＰＦ回路１８と、ＩＦ−ＡＧＣ制御信号Ｓ１１に従って利得が制御される増幅回路２０（ＩＦ−ＡＧＣ２０）と、ＩＦミキサ２２と、ＬＰＦ回路２４とを備えて構成される。
【００７３】
復調部２００ｂは、ＡＤＣ回路２６と、ＦＦＴ回路２８と、伝送路等価回路３０と、復調回路３２と、誤り訂正回路３４と、ＲＦ−ＡＧＣ制御回路４２と、ＩＦ−ＡＧＣ制御回路４４とを備えて構成される。
【００７４】
ＲＦ−ＡＧＣ制御回路４２は、ＦＦＴ回路２８から出力された信号ＤＳ５を元に、ＲＦ−ＡＧＣ制御信号Ｓ９を生成し、増幅回路１２へ出力する。また、ＩＦ−ＡＧＣ制御回路４４は、信号ＤＳ５を元に、ＩＦ−ＡＧＣ制御信号Ｓ１１を生成し、増幅回路２０へ出力する。
【００７５】
以上、第３実施形態によれば、ＲＦ−ＡＧＣ制御回路４２は、ＦＦＴ回路２８から出力される信号ＤＳ５に基づいてＲＦ−ＡＧＣ制御信号Ｓ９を生成し、ＩＦ−ＡＧＣ制御回路４４は、前記信号ＤＳ５の信号に基づいてＩＦ−ＡＧＣ制御信号Ｓ１１を生成する。ここで、ＦＦＴ処理の処理結果となる信号ＤＳ５は、ＯＦＤＭ信号に含まれているガードインターバルを取り除いた有効シンボル期間のみのデータであるため、選択された放送局のデータのみを含んでいる。例えば、図５（ａ）のＢ局のＯＦＤＭ信号を、図５（ｂ）のようなフィルタ特性に設計された第１実施形態のＢＰＦ回路３６に透過させた場合、図５（ｃ）の網掛け部分Ｐのデータがする可能性がある。このため、第１実施形態での利得制御には、網掛け部分Ｐの分の誤差が生ずる可能性がある。第３実施形態においてＦＦＴ回路２８から出力される信号ＤＳ５は、図５（ｄ）のようにＢ局のデータが完全に抽出された信号である。従って、信号ＤＳ５の信号レベルを元にＲＦ−ＡＧＣ制御信号Ｓ９及びＩＦ−ＡＧＣ制御信号Ｓ１１を生成することで、第１及び第２実施形態よりも正確な利得制御が実現できる。
【００７６】
〔第４実施形態〕
次に、本発明を適用した地上波デジタルテレビ放送の受信装置の第４実施形態について説明する。尚、第１実施形態において図１に示して説明した受信装置１と同一の構成要素には同一の符号を付してその説明を省略する。
【００７７】
図６は、第４実施形態の受信装置１ｃの機能構成を示すブロック図である。同図によれば、受信装置１ｃは、チューナ部１００ｃと、復調部８００と、復号部３００とを備えて構成される。
【００７８】
チューナ部１００ｃは、外部アンテナＡＮＴと、ＬＮＡ回路１０と、第１ＲＦ−ＡＧＣ制御信号Ｓ１５又は第２ＲＦ−ＡＧＣ制御信号Ｓ１７に従って利得が制御される増幅回路１２（ＲＦ−ＡＧＣ１２）と、ＲＦ−ＢＰＦ回路１４と、ＲＦミキサ１６と、ＩＦ−ＢＰＦ回路１８と、増幅回路２０（ＩＦ−ＡＧＣ２０）と、ＩＦミキサ２２と、ＬＰＦ回路２４と、第１レベル制御回路４８と、第２レベル制御回路５０とを備えて構成される。
【００７９】
第１レベル制御回路４８は、ＲＦ−ＢＰＦ回路１４から出力されたＯＦＤＭ信号ＡＳ７に基づきＯＦＤＭ信号ＡＳ７に含まれる放送局を抽出し、選択局に隣接する放送局の放送信号（ＯＦＤＭ信号）が含まれていないと判定した場合に、第１ＲＦ−ＡＧＣ制御信号Ｓ１５を増幅回路１２へ出力する。第１ＲＦ−ＡＧＣ制御信号Ｓ１５は、ＬＮＡ回路１０から出力されるＯＦＤＭ信号を所定の信号レベルに増幅させるための信号である。
【００８０】
第２レベル制御回路５０は、ＯＦＤＭ信号ＡＳ７に基づきＯＦＤＭ信号ＡＳ７に含まれる放送局を抽出し、選択局に隣接する放送局のうち、選択局に対して低域側の放送局、又は、選択局に対して高域側の放送局の少なくとも一方の放送局の放送信号（ＯＦＤＭ信号）が含まれていると判定した場合に、第２ＲＦ−ＡＧＣ制御信号Ｓ１７を増幅回路１２へ出力する。第２ＲＦ−ＡＧＣ制御信号Ｓ１７は、ＬＮＡ回路１０から出力されるＯＦＤＭ信号を所定の信号レベルに減衰させるための信号である。
【００８１】
例えば、図７（ａ）のように、選択されたＢ局に隣接し、Ｂ局に対して低域側のＡ局と、Ｂ局に対して高域側のＣ局とが放送されている場合、通過域の広いＲＦ−ＢＰＦ回路１４から出力されるＯＦＤＭ信号の信号レベルは、１放送局の信号レベルよりも高くなる。そして、ＩＦ−ＢＰＦ回路１８は、Ｂ局分のＯＦＤＭ信号を抽出しようとするが、そのフィルタ特性（同図（ａ）の部分Ｆ）により隣接する放送局のＯＦＤＭ信号の一部分が合わせて抽出される可能性がある。この結果、ＩＦ−ＡＧＣ制御回路９２の利得制御に影響が生じ得る。そこで、本実施形態では、第２レベル制御回路５０が、第２ＲＦ−ＡＧＣ制御信号Ｓ１７を出力して、ＬＮＡ回路１０から出力されるＯＦＤＭ信号を所定の信号レベルまで減衰させる。
【００８２】
また、図７（ｂ）のように、選択されたＢ局に隣接するＡ局及びＣ局が放送されていない場合、ＲＦ−ＢＰＦ回路１４から出力されるＯＦＤＭ信号の信号レベルは１放送局分の信号レベルとなる。そこで、本実施形態では、第１レベル制御回路４８が、第１ＲＦ−ＡＧＣ制御信号Ｓ１５を出力して、ＬＮＡ回路１０から出力されるＯＦＤＭ信号を所定の信号レベルまで増幅させる。
【００８３】
以上、第４実施形態によれば、第１レベル制御回路４８は、ＲＦ−ＢＰＦ回路１４から出力されるＯＦＤＭ信号ＡＳ７に基づきＯＦＤＭ信号ＡＳ７に含まれる放送局を抽出し、ＯＦＤＭ信号ＡＳ７内に、選択局に対して低域側又は高域側に隣接する放送局のＯＦＤＭ信号の内、少なくとも一方が含まれていれば、第１ＲＦ−ＡＧＣ制御信号Ｓ１５を増幅回路１２へ出力する。また、第２レベル制御回路５０は、ＯＦＤＭ信号ＡＳ７に基づきＯＦＤＭ信号ＡＳ７に含まれる放送局を抽出し、ＯＦＤＭ信号ＡＳ７内に、選択局に隣接する放送局のＯＦＤＭ信号が含まれていなければ、第２ＲＦ−ＡＧＣ制御信号Ｓ１７を増幅回路１２へ出力する。従って、選択された放送局に隣接する放送局のＯＦＤＭ信号の有無に応じた利得制御が行われるため、隣接する他の放送局の信号による影響が低減され、選択された放送局による利得制御が実現される。
【００８４】
尚、第４実施形態において、第１レベル制御回路４８及び第２レベル制御回路５０の２段のレベル制御回路を設けることとして説明したが、これに限られるものではなく適宜変更可能である。例えば、複数のレベル制御回路を設け、ＲＦ−ＢＰＦ回路１４から出力されるＯＦＤＭ信号内に存在する放送局の数に対応するレベル制御回路からＲＦ−ＡＧＣ制御信号を出力させることとしてもよい。具体的には、図８（ａ）のように、第１レベル制御回路４８、第２レベル制御回路５０、第３レベル制御回路５２、・・・、第１０レベル制御回路５８を設ける。各レベル制御回路は、第１レベル制御回路４８は１放送局、第２レベル制御回路は２放送局、・・・、第１０レベル制御回路６８は１０放送局といったように、ＯＦＤＭ信号ＡＳ７内に存在する放送局の数に対応させる。そして、各レベル制御回路から出力されるＲＦ−ＡＧＣ制御信号は、対応する放送局数に合わせて予め設定される。例えば、放送されている放送局の数が５局であれば、第５レベル制御回路が第５ＲＦ−ＡＧＣ制御信号を増幅回路１２へ出力する。
【００８５】
また、図８（ｂ）のように、１つのレベル制御回路６０によって複数のＲＦ−ＡＧＣ制御信号を切り替えて出力することしてもよい。このレベル制御回路６０は、ＯＦＤＭ信号ＡＳ７に含まれている放送局の数を計数し、計数値に応じたＲＦ−ＡＧＣ制御信号を増幅回路１２へ出力する。例えば、放送されている放送局の数が５局であれば、レベル制御回路６０は、５局に対応する第５ＲＦ−ＡＧＣ制御信号を増幅回路１２へ出力する。
【００８６】
以上、第１〜第４実施形態について説明したが、本発明の適用が可能な形態はこれらの形態に限らず、適宜変更することとしてよい。
特に、第１〜第４実施形態においては、選択された放送局のＯＦＤＭ信号に基づいて、利得制御を行うこととして説明したが、選択された放送局のＯＦＤＭ信号に含まれるＯＦＤＭセグメント（以下、「セグメント」と略す。）に基づいて、利得制御を行うこととしてもよい。第１〜第４実施形態それぞれに対応する、このセグメント（一例として移動体用のセグメントとする。）に基づく利得制御の変形例を以下説明する。
【００８７】
尚、この変形例においては、第１〜第４の実施形態のＩＦ−ＢＰＦ回路１８が、選択されたセグメント（ここでは、移動体用の１セグメントを「選択セグメント」とする。）の帯域に相当する周波数帯域を通過させ、復調部を含むＩＦ−ＢＰＦ回路１８以降の回路においては、選択セグメントに係る信号を処理することとなる。
【００８８】
ここで、セグメントについて簡単に説明する。図９（ａ）に示すように、１放送局のＯＦＤＭ信号には、チャネル帯域幅５．６ＭＨｚが１３等分された１３個のセグメントが含まれている。また、各セグメントは、隣接する低域側及び高域側のセグメントと連続している。中央部（左から７番目）のセグメントは、携帯電話などの移動体においても受信可能に、例えば、ＤＱＰＳＫ（Differential Quadrature Phase Shift Keying：差動４位相変調）方式により変調されている。
【００８９】
〔第１変形例〕
先ず、第１実施形態の受信装置１の変形例である第１変形例を説明する。
図１０は、この第１変形例の受信装置Ｔ１の回路構成を示したブロック図である。第１実施形態と同一の構成要素については同一の符号を付している。また、第１実施形態の受信装置１に対応する構成要素の符号には先頭にＴを付している。第１変形例における受信装置Ｔ１のＢＰＦ回路Ｔ３６は、選択セグメントの帯域幅に相当する周波数帯域幅（例えば、０．４ＭＨｚ）に設計される。
【００９０】
ＡＤＣ回路Ｔ２６から出力されるデジタル信号から、選択セグメントの帯域に相当する周波数帯域のＯＦＤＭ信号ＴＤＳ１がＢＰＦ回路Ｔ３６により抽出される。ＲＦ−ＡＧＣ制御回路Ｔ３８は、ＢＰＦ回路Ｔ３６から出力されるデジタル信号ＴＤＳ１の信号を元に、ＲＦ−ＡＧＣ制御信号ＴＳ１を生成する。また、ＩＦ−ＡＧＣ制御回路Ｔ４０も、ＢＰＦ回路Ｔ３６から出力されるデジタル信号ＴＤＳ１の信号を元に、ＩＦ−ＡＧＣ制御信号ＴＳ３を生成する。
【００９１】
例えば、図９（ｂ）のようなＯＦＤＭ信号ＲＳを受信したとする。第１変形例におけるＢＰＦ回路Ｔ３６は、移動体用のセグメントのみを抽出する。このため、当該セグメントを元にＲＦ−ＡＧＣ制御信号ＴＳ１及びＩＦ−ＡＧＣ制御信号ＴＳ３が生成される。同図（ｂ）の場合は、移動体用のセグメントの信号レベルが低いために、ＲＦ−ＡＧＣ制御回路Ｔ３８によりＬＮＡ回路１０から出力される信号の信号レベルを増幅させるためのＲＦ−ＡＧＣ制御信号ＴＳ１が出力される。また、同様に、ＩＦ−ＡＧＣ制御回路Ｔ４０によりＩＦ−ＢＰＦ回路Ｔ１８から出力される信号レベルを増幅させるためのＩＦ−ＡＧＣ制御信号ＴＳ３が出力される。
【００９２】
以上、第１変形例によれば、ＢＰＦ回路Ｔ３６は、選択セグメントが抽出可能となる狭帯域な帯域幅のフィルタ特性に設計される。これにより、例えば、移動体用のセグメントを受信する場合は、当該セグメントの信号レベルに基づいて、ＲＦ−ＡＧＣ制御信号ＴＳ１及びＩＦ−ＡＧＣ制御信号ＴＳ３が生成される。従って、隣接するセグメントの信号の影響を除去し、選択局の選択セグメントのみによる適切な利得制御を実現できる。
【００９３】
〔第２変形例〕
次に、第２実施形態の受信装置１ａの変形例である第２変形例を説明する。
図１１は、この第２変形例の受信装置Ｔ１ａの回路構成を示すブロック図である。第２実施形態と同一の構成要素については同一の符号を付している。また、第２実施形態の受信装置１ａに対応する構成要素の符号には先頭にＴを付している。第２変形例における受信装置Ｔ１ａの第２ＲＦ−ＢＰＦ回路Ｔ４１及びＢＰＦ回路Ｔ３６は、選択セグメントの帯域幅に相当する周波数帯域幅（例えば、０．４ＭＨｚ）に設計される。
【００９４】
増幅回路１２から出力されるＯＦＤＭ信号から、選択セグメントの帯域に相当する周波数帯域のＯＦＤＭ信号ＴＡＳ３が、第２ＲＦ−ＢＰＦ回路Ｔ４１により抽出される。ＲＦ−ＡＧＣ制御回路Ｔ４３は、第２ＲＦ−ＢＰＦ回路Ｔ４１から出力される信号ＴＡＳ３の信号レベルを元に、ＲＦ−ＡＧＣ制御信号ＴＳ５を生成する。
【００９５】
また、ＡＤＣ回路Ｔ２６から出力されるデジタル信号から、選択セグメントの帯域に相当する周波数帯域のデジタル信号ＴＤＳ３がＢＰＦ回路Ｔ３６により抽出される。ＩＦ−ＡＧＣ制御回路Ｔ４０は、ＢＰＦ回路Ｔ３６から出力されるデジタル信号ＴＤＳ３の信号を元に、ＩＦ−ＡＧＣ制御信号ＴＳ３を生成する。
【００９６】
以上、第２変形例によれば、第２ＲＦ−ＢＰＦ回路Ｔ４１及びＢＰＦ回路Ｔ３６は、選択セグメントが抽出可能となる狭帯域な帯域幅のフィルタ特性に設計される。これにより、例えば、移動体用のセグメントを受信する場合は、当該セグメントの信号レベルに基づいて、ＲＦ−ＡＧＣ制御回路Ｔ４３によりＲＦ−ＡＧＣ制御信号ＴＳ５が生成され、更にＩＦ−ＡＧＣ制御回路Ｔ４０によりＩＦ−ＡＧＣ制御信号ＴＳ３が生成される。従って、隣接するセグメントの信号の影響を受けずに、選択セグメントのみによる適切な利得制御を実現できる。
【００９７】
〔第３変形例〕
次に、第３実施形態の受信装置１ｂの変形例である第３変形例を説明する。
図１２は、この第３変形例の受信装置Ｔ１ｂの回路構成を示したブロック図である。第３実施形態と同様の構成要素については同一の符号を付している。また、第３実施形態に対応する構成要素について先頭にＴを付している。
【００９８】
ＲＦ−ＡＧＣ制御回路Ｔ４２は、ＦＦＴ回路２８から出力される信号ＴＤＳ５を元に、ＲＦ−ＡＧＣ制御信号ＴＳ９を生成する。また、ＩＦ−ＡＧＣ制御回路Ｔ４４は、信号ＴＤＳ５を元にＩＦ−ＡＧＣ制御信号ＴＳ１１を生成する。
【００９９】
以上、第３変形例によれば、ＩＦ−ＢＰＦ回路Ｔ１８を選択セグメントを抽出可能な帯域幅のフィルタ特性に設計することで、ＦＦＴ回路Ｔ２８から出力される信号ＴＤＳ５は、ＦＦＴ処理により抽出された選択セグメントのみの信号（データ）となる。これにより、例えば、移動体用のセグメントを受信する場合は、当該セグメントのＦＦＴ処理結果の信号レベルに基づいて、ＲＦ−ＡＧＣ制御信号ＴＳ９とＩＦ−ＡＧＣ制御信号ＴＳ１１とが生成される。従って、選択セグメントに隣接するセグメント信号の影響を除去し、選択セグメントのみによる適切な利得制御が実現される。
【０１００】
〔第４変形例〕
次に、第４実施形態の受信装置１ｃの変形例である第４変形例を説明する。
図１３は、この第４変形例の受信装置Ｔ１ｃの回路構成を示したブロック図である。第４実施形態と同様の構成要素については同一の符号を付している。また、第４実施形態に対応する構成要素について先頭にＴを付している。
【０１０１】
第１レベル制御回路Ｔ４８は、ＲＦ−ＢＰＦ回路Ｔ１４から出力されたＯＦＤＭ信号ＴＡＳ７に基づきＯＦＤＭ信号ＴＡＳ７に含まれるセグメントを抽出し、選択セグメントに隣接するセグメントが含まれていないと判定した場合に、第１ＲＦ−ＡＧＣ制御信号ＴＳ１５を増幅回路１２へ出力する。
【０１０２】
また、第２レベル制御回路Ｔ５０は、ＯＦＤＭ信号ＴＡＳ７に基づきＯＦＤＭ信号ＡＳ７に含まれるセグメントを抽出し、選択セグメントに対して低域側又は高域側に隣接するセグメントのうち、少なくとも一方のセグメントが含まれていると判定した場合に、第２ＲＦ−ＡＧＣ制御信号ＴＳ１７を増幅回路１２へ出力する。
【０１０３】
以上、第４変形例によれば、第１レベル制御回路Ｔ４８は、ＲＦ−ＢＰＦ回路Ｔ１４から出力されるＯＦＤＭ信号ＴＡＳ７内に、選択セグメントに隣接するセグメントが含まれていなければ、第１ＲＦ−ＡＧＣ制御信号ＴＳ１５を増幅回路１２へ出力する。また、第２レベル制御回路Ｔ５０は、ＯＦＤＭ信号ＴＡＳ７内に、選択セグメントに対して低域側又は高域側に隣接するセグメントの内少なくとも一方が含まれていれば、第２ＲＦ−ＡＧＣ制御信号ＴＳ１７を増幅回路１２へ出力する。従って、選択セグメントに隣接するセグメントの有無に応じた利得制御が行われるため、隣接するセグメントの信号の影響が低減され、選択セグメントのみによる利得制御が実現される。
【０１０４】
尚、第４変形例において、第１レベル制御回路Ｔ４８及び第２レベル制御回路Ｔ５０の２段のレベル制御回路を設けることとして説明したが、これに限られるものではなく適宜変更可能である。例えば、第４実施形態の図８（ａ）と同様に、複数のレベル制御回路を設け、ＲＦ−ＢＰＦ回路Ｔ１４から出力されるＯＦＤＭ信号ＴＡＳ７内に存在するセグメントの数に対応するレベル制御回路からＲＦ−ＡＧＣ制御信号を出力させることとしてもよいし、また、図８（ｂ）と同様に、１つのレベル制御回路によって複数のＲＦ−ＡＧＣ制御信号を切り替えて出力することしてもよい。
【図面の簡単な説明】
【０１０５】
【図１】本発明における第１実施形態の受信装置のブロック図。
【図２】本発明における第１実施形態のＢＰＦ回路のフィルタ特性を示す図、（ｂ）はＲＦ−ＡＧＣ回路のフィルタ特性を示す図。
【図３】本発明における第２実施形態の受信装置のブロック図。
【図４】本発明における第３実施形態の受信装置のブロック図。
【図５】（ａ）は１放送局の周波数帯域幅を示す図、（ｂ）は１実施形態のＢＰＦ回路のフィルタ特性を示す図、（ｃ）は第１実施形態のＢＰＦ回路によるフィルタの様子を示す図、（ｄ）はＦＦＴ回路の出力信号の概念図。
【図６】本発明における第４実施形態の受信装置のブロック図。
【図７】（ａ）は選択局に隣接する放送局が放送されている場合のＲＦ−ＢＰＦ回路によるフィルタの様子を示す図、（ｂ）は選択局以外の放送局が放送されていない場合のＲＦ−ＢＰＦ回路によるフィルタの様子を示す図。
【図８】本発明における第４実施形態の変形例のブロック図。
【図９】（ａ）は１放送局のＯＦＤＭ信号のセグメントの構成を示す図、（ｂ）は実際に受信したＯＦＤＭ信号の一例を示す図。
【図１０】本発明における第１変形例のブロック図。
【図１１】本発明における第２変形例のブロック図。
【図１２】本発明における第３変形例のブロック図。
【図１３】本発明における第４変形例のブロック図。
【図１４】従来の受信装置のブロック図。
【図１５】各放送局の周波数帯域幅と、ＲＦ−ＢＰＦ回路のフィルタ特性とを示す図。
【符号の説明】
【０１０６】
１     受信装置
１００ チューナ部
ＡＮＴ 外部アンテナ
１０   ＬＮＡ回路
１２   増幅回路
１４   ＲＦ−ＢＰＦ回路
１６   ＲＦミキサ
１８   ＩＦ−ＢＰＦ回路
２０   増幅回路
２２   ＩＦミキサ
２４   ＬＰＦ回路
２００ 復調部
２６   ＡＤＣ回路
２８   ＦＦＴ回路
３０   伝送路等価回路
３２   復調回路
３４   誤り訂正回路
３６   ＢＰＦ回路
３８   ＲＦ−ＡＧＣ制御回路
４０   ＩＦ−ＡＧＣ制御回路
３００ 復号部
【図１】
2005229533.tif 000003
【図２】
2005229533.tif 000004
【図３】
2005229533.tif 000005
【図４】
2005229533.tif 000006
【図５】
2005229533.tif 000007
【図６】
2005229533.tif 000008
【図７】
2005229533.tif 000009
【図８】
2005229533.tif 000010
【図９】
2005229533.tif 000011
【図１０】
2005229533.tif 000012
【図１１】
2005229533.tif 000013
【図１２】
2005229533.tif 000014
【図１３】
2005229533.tif 000015
【図１４】
2005229533.tif 000016
【図１５】
2005229533.tif 000017